(57)【要約】【課題】スピーカ部の音圧を確保して薄型のデザイン性を損なわない携帯端末機器を提供する。【解決手段】電池蓋２０が取付けられる筐体の背面にスピーカの音が発せられるスピーカ部を備えるＰＨＳ端末Ａであって、上記筐体は、背面に前記電池蓋２０の開閉時に動作される引っ掛け部３０を備え、上記引っ掛け部３０は、上記スピーカ部１０に対して上記筐体外部側に突出して形成される突出部３０ａを有するという構成を採用する。さらに、上記引っ掛け部６０と上記スピーカ部の放音孔５０ａとは、共に電池蓋７０に形成されるという構成を採用する。【選択図】図２
2009207110.tif 000002
【特許請求の範囲】
【請求項１】
電池蓋が取付けられる筐体の背面にスピーカの音が発せられるスピーカ部を備える携帯端末機器であって、
前記筐体は、前記背面に前記電池蓋の開閉時に動作される開閉部を備え、
前記開閉部は、前記スピーカ部に対して前記筐体外部側に突出して形成される突出部を
有することを特徴とする携帯端末機器。
【請求項２】
前記突出部は、前記スピーカ部に近接するように配置されることを特徴とする請求項１に記載の携帯端末機器。
【請求項３】
前記突出部の突出量は、前記突出部と前記スピーカ部との離間距離に基づいて設定されることを特徴とする請求項１または２に記載の携帯端末機器。
【請求項４】
前記開閉部と前記スピーカ部の放音孔とは、共に前記電池蓋に形成されることを特徴とする請求項１〜３のいずれか一項に記載の携帯端末機器。
【請求項５】
前記突出部は、複数設けられており、所定の距離で離間して携帯端末機器本体の幅方向において列を形成することを特徴とする請求項１〜４のいずれか一項に記載の携帯端末機器。
【請求項６】
前記突出部は、マークまたは文字を形成することを特徴とする請求項１〜４のいずれか一項に記載の携帯端末機器。
【請求項７】
前記突出部は、点字を形成することを特徴とする請求項１〜４のいずれか一項に記載の携帯端末機器。
【請求項８】
前記突出部の突出量は、０．５ｍｍ〜０．６ｍｍの大きさに設定されることを特徴とする請求項１〜７のいずれか一項に記載の携帯端末機器。
【発明の詳細な説明】
【技術分野】
【０００１】
本発明は、携帯電話機やＰＨＳ（Ｐｅｒｓｏｎａｌ  Ｈａｎｄｙ−ｐｈｏｎｅ  Ｓｙｓｔｅｍ）端末等の携帯端末機器に関するものである。
【背景技術】
【０００２】
携帯電話機やＰＨＳ端末等の携帯端末機器は、液晶画面やボタン部等が設けられる面の背面に着信音等を発するスピーカ部が設けられる形態が一般的である。このような携帯端末機器を机等の上に載置して操作する場合、背面と机の面とが対向することになりスピーカ部が机によって塞がれて、着信音等がこもって小さくなり認識することが困難になるという問題がある。
【０００３】
従来、上記問題を解決するための携帯端末機器に、例えば特許文献１に記載の携帯端末機器が知られている。当該携帯端末機器は、筐体の背面側に、着信用スピーカを内蔵させ、背面側が下向きに置かれた際にスピーカ用孔が穿設された部分（スピーカ部）を接地させずに浮かせるための凸部（突出部）を、背面側のヒンジ部近傍に凹設された凹部内にねじ込まれる固定用ネジを目隠しするよう配設する構成を有している。
【特許文献１】特開２００５−９４６３１号公報
【発明の開示】
【発明が解決しようとする課題】
【０００４】
しかしながら、近年の携帯端末機器の薄型デザイン化により、上記凸部のような突起形状は最小限に抑えたいという要請がされており、特許文献１に記載のような凸部を設けてスピーカ部の音圧を確保することが困難になるという問題があった。
【０００５】
本発明は、上記問題点に鑑みてなされたものであって、スピーカ部の音圧を確保して薄型のデザイン性を損なわない携帯端末機器を提供することを目的としている。
【課題を解決するための手段】
【０００６】
上記の課題を解決するために、本発明は、電池蓋が取付けられる筐体の背面にスピーカの音が発せられるスピーカ部を備える携帯端末機器であって、上記筐体は、前記背面に前記電池蓋の開閉時に動作される開閉部を備え、上記開閉部は、上記スピーカ部に対して前記筐体外部側に突出して形成される突出部を有するという構成を採用する。
【０００７】
このような構成を採用することによって、本発明では、スピーカ部の塞ぎ対策の突起形状を、電池蓋を開閉する際に使用する開閉部と兼用にすることで、筐体の背面の突出部を設ける部分を必要最小限にすることができる。
【０００８】
また、本発明では、上記突出部は、上記スピーカ部に近接するように配置されるという構成を採用する。
【０００９】
このような構成を採用することによって、本発明では、スピーカ部の位置に応じて近接するように突出部の配置することで、所望の音圧を確保する隙間を形成し易くすることができる。また、突出部をスピーカ部に近接するように配置することで、突出部の突出量を小さく抑えることができるため、薄型のイメージを使用者に与えることができる。
【００１０】
また、本発明では、上記突出部の突出量は、上記突出部と上記スピーカ部との離間距離に基づいて設定されるという構成を採用する。
【００１１】
このような構成を採用することによって、本発明では、突出部の突出量を突出部とスピーカ部との離間距離に基づいて調整して設定することで、スピーカ部の所望の音圧を確保する隙間を形成することができる。
【００１２】
また、本発明では、上記開閉部と上記スピーカ部の放音孔とは、共に上記電池蓋に形成されることという構成を採用する。
【００１３】
このような構成を採用することによって、本発明では、電池蓋に開閉部と放音孔を形成するので、携帯端末の背面側筐体の形状が簡素化され形成が容易になる。また、電池蓋においては、放音孔が追加されるが、電池蓋は略平坦形状なので、形成するための難易度に殆ど違いは生じない。
【００１４】
また、本発明では、上記突出部は、複数設けられており、所定の距離で離間して携帯端末機器本体の幅方向において列を形成するという構成を採用する。
【００１５】
このような構成を採用することによって、本発明では、幅方向に列を形成する突出部が筐体の背面のスピーカ部の設けられる位置にかかわらず所望の音圧を確保する隙間を形成することができるため、電池蓋が種類の異なる携帯端末機器本体に対して互換性を有する場合でも対応可能となる。
【００１６】
また、本発明では、上記突出部は、マークまたは文字を形成するという構成を採用する。
【００１７】
このような構成を採用することによって、本発明では、突出部に意味合いや視覚的効果を持たせることができる。
【００１８】
また、本発明では、上記突出部は、点字を形成するという構成を採用する。
【００１９】
このような構成を採用することによって、本発明では、突出部に点字的意味合いを持たせることで、目の不自由な使用者に携帯端末機器を使用させ易くすることができる。
【００２０】
また、本発明では、上記突出部の突出量は、０．５ｍｍ〜０．６ｍｍの大きさに設定されるという構成を採用する。
【００２１】
このような構成を採用することによって、本発明では、突出部が所望の音圧を確保するために、一般的な開閉部の引っ掛かり形状の突出量である０．３ｍｍ以上の値で構成される。また、０．５ｍｍ〜０．６ｍｍの突出量は、点字規格に則り設定されるため、点字規格に対応する点字を形成することができる。
【発明の効果】
【００２２】
本発明によれば、電池蓋が取付けられる筐体の背面にスピーカの音が発せられるスピーカ部を備える携帯端末機器であって、上記電池蓋を開閉する開閉部は、上記筐体の背面から突出して上記スピーカ部と対向する位置に上記スピーカ部の所望の音圧を確保する隙間を形成する突出部を有するという構成を採用ことによって、スピーカ部の塞ぎ対策の突起形状を、電池蓋を開閉する際に使用する開閉部と兼用にし、筐体の背面の突出部を設ける部分を必要最小限にすることができる。つまり、本発明では、スリム化されたデザインの平らな面の面積を広く確保し薄型のイメージを使用者に与えることができる。
【００２３】
したがって、本発明は、スピーカ部の音圧を確保し薄型のデザイン性を損なわない携帯端末機器が得られる効果がある。
【発明を実施するための最良の形態】
【００２４】
次に、本発明の本実施形態を図面に基づいて説明する。なお、以下の説明においては、本発明の携帯端末機器をＰＨＳ（Ｐｅｒｓｏｎａｌ  Ｈａｎｄｙ−ｐｈｏｎｅ  Ｓｙｓｔｅｍ）端末に適応した場合の例について説明する。
【００２５】
先ず、図１を参照してＰＨＳ端末Ａの構成について説明する。
【００２６】
図１（ａ）は、本実施形態におけるＰＨＳ端末Ａの正面の外観を示す斜視図である。
【００２７】
図１（ｂ）は、本実施形態におけるＰＨＳ端末Ａの筐体の背面の外観を示す斜視図である。
【００２８】
本実施形態のＰＨＳ端末Ａは、直方体形状を有する筐体３により外装を形成されている。なお、ＰＨＳ端末Ａは、実施形態の一例である図１に示すストレート型の構成に限定されるものではなく、ヒンジ構造を有して二つ折り型の構成であってもよい。
【００２９】
以下、ＰＨＳ端末Ａの構成を図１（ａ）に示す正面側本体１の構成と、図１（ｂ）に示す筐体の背面側本体２の構成とに分けて説明する。
【００３０】
正面側本体１には、図１（ａ）に示すように、長さ方向における一端部４ａから他端部４ｂまでの間に、受話口５、表示部６、操作部７、送話口８が順に配設される構成になっている。
【００３１】
受話口５は、筐体３内部に設けられた不図示の受話用スピーカと外部とを連通する構成となっており、通話の際に相手方の声を模した音声を使用者に向けて発するものである。
【００３２】
表示部６は、例えば、液晶ディスプレイや、有機ＥＬ（Ｅｌｅｃｔｒｏ  Ｌｕｍｉｎｅｓｃｅｎｃｅ）ディスプレイ等から構成されて所望の画像や文字等を表示するものである。
【００３３】
操作部７は、電源キー、テンキーや各種の機能キーから構成されており、使用者による各種の操作指示を受け付けるものである。
【００３４】
送話口８は、筐体３内部に設けられた不図示の送話用マイクと連通する構成となっており、通話の際に使用者の声を集音して電気信号に変換するものである。
【００３５】
なお、これらは各々、筐体３内部に設けられた不図示の制御部に電気的に接続されて、制御部の制御の下、所望の動作を行う構成となっている。
【００３６】
一方、筐体の背面側本体２には、図１（ｂ）に示すように、着信音等が発せられるスピーカ部１０と、電源となるバッテリーを筐体３内部に閉塞する電池蓋２０とが設けられる構成となっている。
【００３７】
スピーカ部１０は、本実施形態では筐体の背面側本体２の略中央部右寄りに配設されており、筐体３内部に設けられた不図示のスピーカと外部とを連通する複数の放音孔１０ａが密集して形成されている。また、スピーカ部１０は、制御部の制御の下、着信音等の使用者に対して何らかの注意を喚起する際にスピーカの電子音を発する構成となっている。
【００３８】
なお、スピーカ部１０の位置は、ＰＨＳ端末Ａの機種等により様々に変更されるものであるから、本実施形態のように略中央部右寄りの位置に限定されるものではなく、例えば、略中央部左寄りや一端部４ａ近傍の位置等であっても良い。
【００３９】
電池蓋２０は、筐体の背面側本体２の他端部４ｂからスピーカ部１０が形成される位置までの間の領域を占有する略方形の蓋体である。電池蓋２０は、筐体３に対して開閉可能に設けられており、本実施形態では、長さ方向にスライドすることにより開閉することができる構成となっている。電池蓋２０は、通常時に筐体３の一部を形成して筐体３内部に設けられたバッテリーを閉塞しており、当該バッテリーを取り外す時に引掛け部３０（開閉部）に爪を引掛けて長さ方向（他端部４ｂ側）にスライドすることで開蓋されることとなる。
【００４０】
引掛け部３０は、爪を引掛けて電池蓋２０をスライドさせるため、及び、筐体の背面側本体２が机や床等の載置部に対向するように載置された際にスピーカ部１０と当該載置部との間であって、スピーカ部１０と対向する位置にスピーカ部１０の所望の音圧を確保する隙間を形成するための複数の突出部３０ａを有する構成となっている。
【００４１】
突出部３０ａは、本実施形態では電池蓋２０から筐体の背面側本体２の厚さ方向に突出する略半球形状を有しており、筐体の背面側本体２（電池蓋２０）の幅方向において所定の距離で互いに離間して列を形成するように配設される。また、当該列は、スピーカ部１０に近接するように電池蓋２０の縁部に沿って設けられる構成となっている。
【００４２】
このように、突出部３０ａを幅方向に列を形成するように配設することにより、ＰＨＳ端末Ａの機種によりスピーカ部１０の位置の変更があっても、スピーカ部１０により近い位置に突出部３０ａの少なくとも一部（本実施形態では右側の一部）が配設されることとなる。したがって、スピーカ部１０の塞がりを防止するために突出部３０ａの設ける位置をＰＨＳ端末Ａの機種やスピーカ部１０の位置に応じてその都度変更するという労力を軽減することができる。
【００４３】
また、突出部３０ａの突出量は、０．５ｍｍ〜０．６ｍｍの高さで設定されている。当該突出量は、従来の一般的な電池蓋に設けられた引掛け部の突出量である０．３ｍｍ程度よりも大きく、且つ、スピーカ部１０の所望の音圧を確保できるように配慮されて下限を０．５ｍｍで設計するのが好ましい。また、当該突出量は、限度を超えて大きくしてしまうとＰＨＳ端末Ａの薄型デザインのイメージを損なうだけでなく、ＰＨＳ端末Ａを衣服のポケット等から出し入れする際、ＰＨＳ端末Ａとポケット等の布地とが引っ掛かり易くなりＰＨＳ端末Ａの使い易さ等の機能性が低下してしまうこととなるため上限を０．６ｍｍで設計するのが好ましい。
【００４４】
なお、突出部３０ａの形状は、半球形状に限定されるものではなく、例えば、円柱形状や四角柱形状、または、三角錐形状等であっても良い。
【００４５】
続いて、図２及び図３に示すＰＨＳ端末Ａの右側面図を参照して突出部３０ａの作用について説明する。
【００４６】
図２に示すように、ＰＨＳ端末Ａの筐体の背面側を載置部Ｂの水平面上に載置すると、突出部３０ａは載置部Ｂと当接することで、スピーカ部１０と載置部Ｂとの間に隙間Ｓを形成することとなる。したがって、スピーカ部１０が載置部Ｂによって塞がれることがなく、所望の音圧を確保することができる。
【００４７】
また、一般にＰＨＳ端末Ａの重心は、バッテリーの重さにより電池蓋２０側に位置している傾向にある。したがって、ＰＨＳ端末Ａは、電池蓋２０の縁部に設けられた突出部３０ａを支点として一端部４ａが持ち上がり他端部４ｂが載置部Ｂと当接して、図２に示すような傾斜姿勢を保つこととなる。つまり、突出部３０ａより一端部４ａ側に配置されているスピーカ部１０は、当該傾斜姿勢により、載置部Ｂとより離間することになり好適な音圧を確保することができることとなる。
【００４８】
一方、図３に示すように、ＰＨＳ端末Ａの重心が一端部４ａ側にある場合は、突出部３０ａを支点として一端部４ａが載置部Ｂと当接して他端部４ｂが持ち上がる傾斜姿勢となる。この場合であっても、突出部３０ａは、スピーカ部１０と載置部Ｂとの間に隙間Ｓを形成して、所望の音圧を確保することができる。
【００４９】
しかしながらこの場合、傾斜姿勢により突出部３０ａから離れるにつれて隙間Ｓが漸次小さくなってしまうことから、スピーカ部１０の設けられる位置が一端部４ａ近傍に変更されている場合等には、スピーカ部１０の所望の音圧を確保するため、突出部３０ａの突出量を突出部３０ａとスピーカ部１０との離間距離に基づいて設定するのが好ましい。具体的には、当該離間距離が大きい場合は突出量を大きく設定して、当該離間距離が小さい場合は突出量を小さく設定することで、所望の音圧を確保できる隙間Ｓを形成することができる。
【００５０】
したがって、上述した本実施形態によれば、電池蓋２０が取付けられる筐体の背面にスピーカの音が発せられるスピーカ部１０を備えるＰＨＳ端末Ａであって、電池蓋２０を開閉する引掛け部３０は、上記筐体の背面から突出してスピーカ部１０と対向する位置にスピーカ部１０の所望の音圧を確保する隙間Ｓを形成する突出部３０ａを有するという構成を採用することによって、スピーカ部１０の塞ぎ対策の突起形状を、電池蓋を開閉する際に使用する引掛け形状と兼用にし、筐体の背面の突出部３０ａを設ける部分を必要最小限にすることができる。つまり、本実施形態では、スリム化されたデザインの平らな面の面積を広く確保し薄型のイメージを使用者に与えることができる。
【００５１】
したがって、本実施形態は、スピーカ部１０の音圧を確保し薄型のデザイン性を損なわないＰＨＳ端末Ａが得られる効果がある。
【００５２】
また、本実施形態では、突出部３０ａは、スピーカ部１０に近接するように配置されるという構成を採用することによって、スピーカ部１０と載置部Ｂとの間に所望の音圧を確保する隙間Ｓを形成し易くすることができる。また、突出部３０ａをスピーカ部１０に近接するように配置することで、突出部３０ａの突出量を小さく抑えることができるため、薄型のイメージを使用者に与えることができる。
【００５３】
また、本実施形態では、突出部３０ａの突出量は、突出部３０ａとスピーカ部１０との離間距離に基づいて設定されるという構成を採用するによって、突出部３０ａの突出量を突出部３０ａとスピーカ部１０との離間距離に基づいて調整して設定することで、スピーカ部１０の所望の音圧を確保する隙間Ｓを形成することができる。
【００５４】
また、本実施形態では、突出部３０ａは、複数設けられており、所定の距離で離間して筐体の背面側本体２の幅方向において列を形成するという構成を採用することによって、幅方向に列を形成する突出部３０ａが筐体の背面のスピーカ部１０の設けられる位置にかかわらず所望の音圧を確保する隙間Ｓを形成することができるため、電池蓋３０が種類の異なるＰＨＳ端末Ａ本体に対して互換性を有する場合でも対応可能となる。
【００５５】
また、本実施形態では、上記突出部の突出量は、０．５ｍｍ〜０．６ｍｍの大きさに設定されるという構成を採用することによって、スピーカ部１０の所望の音圧を確保でき、また、ＰＨＳ端末Ａの薄型デザインのイメージを損なうことなく使い易さ等に考慮した突出部３０ａを形成することができる。
【００５６】
また、筐体の背面側本体２には、図５に示すように、着信音等が発せられるスピーカ部１０と、電源となるバッテリーを筐体３内部に閉塞する電池蓋７０とが設けられる構成となっている。突出部６１ａが形成されている方を一端部４１ｂ、スピーカの放音孔５０ａが形成されている方を他端部４１ａとする。
【００５７】
スピーカ部１０は、本実施形態では筐体の背面側本体２の略中央部右寄りに配設されており、筐体３内部に設けられた不図示のスピーカと外部とを連通する複数の放音孔５０ａが密集して形成されている。スピーカと電池（不図示）を一括してカバーする電池蓋７０を設け、所望の音圧を確保する突出部６０ａを、筐体の背面側本体の略中央左寄りに配設して形成するという構成となっている。
【００５８】
６０は開閉部であって、複数の突出部６０ａより成り、筐体の背面側本体の左寄りの一端部４１ｂに近い方に形成される。突出部６０ａと放音孔とは、所定の間隔だけ離間されている。さらに、突出部６０ａの突出量は放音孔５０ａとの間隔や放音孔の大きさ、数により調整される。上記のより、好適な音圧を確保することができることとなる。比較的幅の広い筐体の場合、本実施形態の構成が有効となる。
【００５９】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００６０】
例えば、上述した実施形態では、突出部３０ａは、複数設けられ幅方向において列を形成すると説明したが、本発明は当該構成に限定されるものではなく、スピーカ部１０と載置部Ｂとの間に隙間Ｓを形成することができる突出部３０ａが少なくとも一つ配設される構成であれば良い。
【００６１】
また、例えば、突出部３０ａは、図４に示すように、点字若しくはマークまたは文字等を形成する構成であっても良い。このような構成を採用することによって、突出部３０ａに意味合いや視覚的効果、目の不自由な使用者に対する点字的意味合いを持たせることができる。また、マークや文字を複数並べて配設する構成であっても良く、例えば、「ＫＹＯＣＥＲＡ」等の複数の文字またはロゴマーク等との組み合わせに係るものであっても良い。さらに、点字を形成する場合の突出部３０ａの突出量は、点字規格に則り０．５ｍｍ〜０．６ｍｍの大きさに設定されるため、好適に隙間Ｓを形成することができる。
【図面の簡単な説明】
【００６２】
【図１】本発明の実施の形態におけるＰＨＳ端末の外観を示す斜視図である。
【図２】本発明の実施の形態におけるＰＨＳ端末を載置部に載置したときの右側面図である。
【図３】本発明の実施の形態におけるＰＨＳ端末を載置部に載置したときの右側面図である。
【図４】本発明の別実施形態におけるＰＨＳ端末の筐体の背面側外観を示す斜視図である。
【図５】本発明の別実施形態におけるＰＨＳ端末の筐体の背面側外観を示す斜視図である。
【符号の説明】
【００６３】
１０…スピーカ部
１０ａ…放音孔
２０…電池蓋
３０…引掛け部（開閉部）
３０ａ…突出部
５０ａ…放音孔
６０ａ…突出部
６０…引掛け部（開閉部）
７０…電池蓋
Ａ…ＰＨＳ端末（携帯端末機器）
Ｂ…載置部
Ｓ…隙間
【図１】
2009207110.tif 000003
【図２】
2009207110.tif 000004
【図３】
2009207110.tif 000005
【図４】
2009207110.tif 000006
【図５】
2009207110.tif 000007